(57)【特許請求の範囲】
【請求項１】
底壁面と、前記底壁面から突出して内側に収容領域を形成する周壁と、前記底壁面に対して所定間隔を有して平行に延びる枠体と、を有するスキャナハウジングと、
少なくとも前記枠体の内周縁よりも内側で前記底壁面に対向する平坦面を有し、前記収容領域を覆うように前記スキャナハウジングに支持され、前記平坦面とは反対側の面が原稿支持面を構成する支持体と、
前記収容領域内に設けられ、前記原稿支持面と平行な第１方向に延び、前記原稿支持面に支持された原稿の画像を読み取る読取部と、
前記読取部を保持し、前記収容領域内で前記第１方向に直交しつつ前記原稿支持面と平行な第２方向に往復移動可能な移動体と、
一端部が前記スキャナハウジングに保持されるとともに他端部が前記読取部に連結され、前記一端部から前記他端部まで配線される途中において前記平坦面と対向する対向面を有するフラットケーブルと、を備える画像読取装置であって、
前記周壁の一部は、前記第２方向に延びる所定壁によって形成され、
前記対向面における前記第１方向の一方に位置する第１端縁は、前記所定壁に沿って配置され、
前記対向面における前記第１方向の他方に位置する第２端縁は、前記原稿支持面に直交する第３方向から見て、前記枠体の前記内周縁よりも内側で前記支持体と重なる位置にあり、
前記所定壁は、前記枠体と前記第１端縁との間に位置するように前記第１方向の他方に向けて突出する規制部を含み、
前記規制部は、前記平坦面よりも前記底壁面側に位置して、前記平坦面と平行に延びる規制面を備えていることを特徴とする画像読取装置。
【請求項２】
前記フラットケーブルは、前記底壁面に保持される前記一端部に連続し、前記底壁面における前記第２方向の一端側に向けて延びる第１伸長部と、前記第１伸長部に連続し、前記支持体に接近するように湾曲して前記底壁面における前記第２方向の他端側に向きを変える湾曲部と、前記湾曲部に連続し、前記底壁面における前記第２方向の他端側に向けて延びて前記他端部に至る第２伸長部と、を有し、
前記第２伸長部の前記平坦面と対向する面が前記対向面であり、
前記規制面は、前記対向面の前記平坦面に接近する領域が前記第２方向において変位する範囲に亘って前記第２方向に延びている請求項１記載の画像読取装置。
【請求項３】
前記スキャナハウジングは、前記底壁面と、前記周壁の前記底壁面側を構成する第１周壁とが形成されたスキャナベースと、
前記枠体と、前記周壁の前記枠体側を構成する第２周壁とが形成されたスキャナトップと、を有し、
前記所定壁は、前記第２周壁の一部を形成している請求項１又は２記載の画像読取装置。
【請求項４】
前記支持体の外周縁の一部であって前記所定壁に沿って延びる所定端縁は、前記原稿支持面側から前記枠体に覆われ、
前記所定端縁の少なくとも一部は、前記枠体と前記規制部とによって挟持されている請求項１乃至３のいずれか１項記載の画像読取装置。
【請求項５】
前記規制面は、前記規制部の前記底壁面側に貼り付けられたテープ、前記規制部の前記底壁面側で行われたコーティング処理、又は前記規制部の前記底壁面側で行われた研摩処理によって形成されている請求項１乃至４のいずれか１項記載の画像読取装置。
【請求項６】
前記規制部が前記所定壁から前記第１方向の他方に向けて突出する長さは、前記枠体の前記内周縁を超えない大きさに設定されている請求項１乃至５のいずれか１項記載の画像読取装置。
【請求項７】
前記第２端縁は、前記第３方向から見て、前記読取部の読取範囲と重なる位置にある請求項１乃至６のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、スキャナハウジング、コンタクトガラス、イメージセンサ及びフラットケーブル等を備えている。
【０００３】
スキャナハウジングは、主に、底壁面と周壁と枠体とから構成されている。周壁は、底壁面から上向きに突出する壁である。周壁で囲まれた内側には、収容領域が形成されている。枠体は、周壁の上端に対向し、かつ底壁面に対して所定間隔を有して略平行に延びている。枠体は、中央に矩形状の開口部を備える。コンタクトガラスは、収容領域を上から覆うようにスキャナハウジングに支持されており、枠体における開口部から露出している。コンタクトガラスの下面は、底壁面に対向している。コンタクトガラスの上面は、原稿支持面を構成している。
【０００４】
イメージセンサは、収容領域内に設けられている。イメージセンサは、原稿支持面と平行な第１方向に延びており、収容領域内で第１方向に直交しつつ原稿支持面と平行な第２方向に往復移動可能である。フラットケーブルは、一端部がスキャナハウジングの底壁面に保持されるとともに他端部がイメージセンサに連結されている。フラットケーブルは、一端部から他端部まで配線される途中において、コンタクトガラスの下面側と対向する部分を有している。
【０００５】
この画像読取装置では、イメージセンサが第２方向に往復移動することにより、原稿支持面に支持された原稿の画像を読み取る。この際、フラットケーブルは、イメージセンサの第２方向への往復移動に追従して、イメージセンサによる画像の読取処理を妨げないようになっている。
【先行技術文献】
【特許文献】
【０００６】
【特許文献１】特開２０１２−３４１０６号公報
【発明の概要】
【発明が解決しようとする課題】
【０００７】
ところで、この種の画像読取装置に対しては、小型化が要望される。従来の画像読取装置では、例えば、フラットケーブルは、第１方向と平行な幅方向の一端縁が第２方向に延びて、周壁の一部に沿って配置され、フラットケーブルの幅方向の他端縁が、枠体と上下方向に重なる範囲内に収まるように配線されていた。すなわち、フラットケーブルは、枠体における開口部から露出するコンタクトガラスの一部と上下方向に重なる位置に配線されることはなかった。しかし、第１方向の小型化のために、スキャナハウジングの前後方向を小さくしようとすると、フラットケーブルの幅方向の他端が、枠体と上下方向に重なる範囲よりも、さらにコンタクトガラスの下面と対向する位置まで突出した状態で配線されることになる。
【０００８】
この場合、枠体のうち、フラットケーブルの一端側が沿う周壁に対向する枠体の部分を第１方向で幅狭にできるので、第１方向において小型化できるものの、以下のような問題が生じてしまうおそれがある。
【０００９】
すなわち、フラットケーブルがイメージセンサの往復移動に追従する際、フラットケーブルが上昇する方向に変動することから、フラットケーブルがコンタクトガラスの下面に接触し易くなる。すると、フラットケーブルに付着する粉塵等がコンタクトガラスの下面に汚れとして付着する可能性がある。その汚れをユーザが視認可能となり、外観品位が低下してしまうおそれがある。
【００１０】
本発明は、上記従来の実情に鑑みてなされたものであって、装置の小型化を実現できるとともに、支持体の汚れに伴う外観品位の低下を抑制できる画像読取装置を提供することを目的とする。
【課題を解決するための手段】
【００１１】
本発明の画像読取装置は、底壁面と、前記底壁面から突出して内側に収容領域を形成する周壁と、前記底壁面に対して所定間隔を有して略平行に延びる枠体と、を有するスキャナハウジングと、
少なくとも前記枠体の内周縁よりも内側で前記底壁面に対向する平坦面を有し、前記収容領域を覆うように前記スキャナハウジングに支持され、前記平坦面とは反対側の面が原稿支持面を構成する支持体と、
前記収容領域内に設けられ、前記原稿支持面と平行な第１方向に延び、前記原稿支持面に支持された原稿の画像を読み取る読取部と、
前記読取部を保持し、前記収容領域内で前記第１方向に直交しつつ前記原稿支持面と平行な第２方向に往復移動可能な移動体と、
一端部が前記スキャナハウジングに保持されるとともに他端部が前記読取部に連結され、前記一端部から前記他端部まで配線される途中において前記平坦面と対向する対向面を有するフラットケーブルと、を備える画像読取装置であって、
前記周壁の一部は、前記第２方向に延びる所定壁によって形成され、
前記対向面における前記第１方向の一方に位置する第１端縁は、前記所定壁に沿って配置され、
前記対向面における前記第１方向の他方に位置する第２端縁は、前記原稿支持面に直交する第３方向から見て、前記枠体の前記内周縁よりも内側で前記支持体と重なる位置にあり、
前記所定壁は、前記枠体と前記第１端縁との間に位置するように前記第１方向の他方に向けて突出する規制部を含み、
前記規制部は、前記平坦面よりも前記底壁面側に位置して、前記平坦面と略平行に延びる規制面を備えていることを特徴とする。
【００１２】
本発明の画像読取装置では、フラットケーブルの対向面における第１方向の一方に位置する第１端縁は、第２方向に延びて周壁の一部を形成する所定壁に沿って配置されている。その対向面における第１方向の他方に位置する第２端縁は、原稿支持面に直交する第３方向から見て、枠体の内周縁よりも内側で支持体と重なる位置にある。このため、この画像読取装置では、枠体のうちで所定壁側に位置する領域を第１方向で幅狭にできる。
【００１３】
また、この画像読取装置では、所定壁が規制部を含んでいる。規制部は、枠体と、フラットケーブルの対向面の第１端縁との間に位置するように、第１方向の他方に向けて突出している。そして、規制部は、規制面を備えている。規制面は、支持体の平坦面よりも底壁面側に位置して、平坦面と略平行に延びている。このような構成である規制部は、フラットケーブルが移動体の往復移動に追従する際、対向面の位置が変動するとしても、対向面の第１端縁側に規制面が当接し、対向面が支持体の平坦面に接近しないように規制する。このため、対向面の第２端縁側が枠体の内周縁よりも内側で支持体の平坦面に接触し難くなる。その結果、対向面の第２端縁側に付着する粉塵等が平坦面に汚れとして付着し難くなる。
【００１４】
したがって、本発明の画像読取装置では、装置の小型化を実現できるとともに、支持体の汚れに伴う外観品位の低下を抑制できる。
【図面の簡単な説明】
【００１５】
【図１】実施例の画像読取装置の斜視図である。
【図２】実施例の画像読取装置の模式正面図である。
【図３】スキャナトップ及び支持体を示す上面図である。
【図４】スキャナトップを下方から見上げた状態を示す斜視図である。
【図５】スキャナベース、読取部、移動体、及びフラットケーブル等を示す斜視図である。
【図６】図３のＡ−Ａ断面を示す部分断面図である。
【図７】スキャナハウジング、フラットケーブル、規制部等を示す部分斜視図である。
【図８】（ａ）〜（ｂ）は、移動体に追従するフラットケーブルに対する規制部の作用を説明する部分断面図である。
【図９】図８（ｂ）のＢ−Ｂ断面を示す部分断面図である。
【図１０】図９と同様の断面であって、規制部の変形例を示す部分断面図である。
【図１１】図９と同様の断面であって、規制部の別の変形例を示す部分断面図である。
【発明を実施するための形態】
【００１６】
以下、本発明を具体化した実施例を図面を参照しつつ説明する。
【００１７】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１８】
＜構成＞
図１及び図２に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている
【００１９】
図２に示すように、読取ユニット３は、本体部８内の上側部分に位置している。画像形成ユニット５は、本体部８内の下側部分に収容されている。画像形成ユニット５は、インクジェット方式又はレーザ方式等によりシートに画像を形成する。
【００２０】
図３〜図９に示すように、読取ユニット３は、スキャナハウジング１００、プラテンガラス８１、読取センサ３Ｓ、キャリッジ２０及びフラットケーブル５０を備えている。プラテンガラス８１は、本発明の「支持体」の一例である。読取センサ３Ｓは、本発明の「読取部」の一例である。キャリッジ２０は、本発明の「移動体」の一例である。
【００２１】
スキャナハウジング１００の前面側は、図１に示す操作パネル８Ｐ及び外装カバー８Ｃによって覆われている。図３及び図６等に示すように、プラテンガラス８１は、読取ユニット３の上面に配設されている。
【００２２】
スキャナハウジング１００は、図５に示すスキャナベース１１０と、図３及び図４に示すスキャナトップ１２０とが、図６に示すように、上下方向から組み合わされてなる。スキャナベース１１０及びスキャナトップ１２０は、本実施例では、熱可塑性樹脂の射出成形品である。
【００２３】
図５に示すように、スキャナベース１１０には、底壁面１１９と第１周壁１１１とが形成されている。底壁面１１９は、略水平に延在する略矩形平面である。第１周壁１１１は、前壁１１１Ａ、後壁１１１Ｂ、左壁１１１Ｌ、右壁１１１Ｒを含んでいる。前壁１１１Ａ、後壁１１１Ｂ、左壁１１１Ｌ及び右壁１１１Ｒはそれぞれ、底壁面１１９の前後左右の端縁から上方に向けて突出している。
【００２４】
図３及び図４に示すように、スキャナトップ１２０には、枠体１２９と第２周壁１２２とが形成されている。図６に示すように、枠体１２９は、底壁面１１９に対して所定間隔を有して上側に位置している。枠体１２９は、底壁面１１９と略平行に延びている。図３及び図６に示すように、枠体１２９は、プラテンガラス８１の外周縁８１Ｅに上側から当接している。図４に示すように、第２周壁１２２は、前壁１２２Ａ、後壁１２２Ｂ、左壁１２２Ｌ、右壁１２２Ｒを含んでいる。前壁１２２Ａ、後壁１２２Ｂ、左壁１２２Ｌ及び右壁１２２Ｒはそれぞれ、枠体１２９の前後左右の端縁から下方に向けて突出している。
【００２５】
図６に示すように、スキャナトップ１２０とスキャナベース１１０とが組み合わされると、スキャナベース１１０の前壁１１１Ａの上端縁に、スキャナトップ１２０の前壁１２２Ａの下端縁が当接する。また、スキャナベース１１０の後壁１１１Ｂの上端縁に、スキャナトップ１２０の後壁１２２Ｂの下端縁が当接する。スキャナベース１１０の後壁１１１Ｂとスキャナトップ１２０の後壁１２２Ｂとは、左右方向に延びて、本体部８の背面側の外装面の一部を構成している。図４に示すスキャナトップ１２０の左壁１２２Ｌと右壁１２２Ｒとは、図５に示すスキャナベース１１０の左壁１１１Ｌと右壁１１１Ｒとを左右方向の外側から覆って、本体部８の左面側及び右面側の外装面の一部を構成している。
【００２６】
第１周壁１１１及び第２周壁１２２は、本発明の「周壁」の一例である。第２周壁１２２の後壁１２２Ｂは、本発明の「所定壁」の一例である。第１周壁１１１及び第２周壁１２２は、底壁面１１９を囲うことにより、その内側に収容領域１００Ａを形成している。収容領域１００Ａには、読取センサ３Ｓ、キャリッジ２０、フラットケーブル５０及び図示しない走査機構が収容されている。
【００２７】
図６及び図９に示すように、プラテンガラス８１の外周縁８１Ｅのうちでスキャナトップ１２０の後壁１２２Ｂに沿って延びる後端縁８１Ｆは、その左側に位置する一部がスキャナトップ１２０の枠体１２９の後端側に位置する部位と、後述する規制部１３０の突起１３５とによって挟持されている。後端縁８１Ｆは、本発明の「所定端縁」の一例である。
【００２８】
その一方、図６に示すように、プラテンガラス８１の外周縁８１Ｅのうちの前端縁は、スキャナベース１１０の前壁１１１Ａと、スキャナトップ１２０の枠体１２９の前端側に位置する部位とによって挟持されている。図示は省略するが、後端縁８１Ｆの右側に位置する一部も、同様に、スキャナベース１１０の後壁１１１Ａの右端部と、スキャナトップ１２０の枠体１２９の右側かつ後側に位置する部位とによって挟持されている。プラテンガラス８１の外周縁８１Ｅのうちの左右の端縁も、同様に、スキャナベース１１０の左壁１１１Ｌ及び右壁１１１Ｒと、スキャナトップ１２０の枠体１２９の左端側及び右端側に位置する部位とによって挟持されている。
【００２９】
プラテンガラス８１の外周縁８１Ｅは全周に亘って、図示しない両面テープで枠体１２９に貼り付けられている。こうして、スキャナハウジング１００に取り付けられたプラテンガラス８１は、収容領域１００Ａを上方から覆っている。
【００３０】
図３及び図４に示すように、枠体１２９には、第１開口１２９Ａと第２開口１２９Ｂとが形成されている。第１開口１２９Ａは、大きな矩形状をなして開口している。第２開口１２９Ｂは、第１開口１２９Ａの左側に位置し、前後方向に細長い矩形状をなして開口している。
【００３１】
図３に示すように、プラテンガラス８１の略水平に延在する上面には、原稿支持面８１Ａと読取面８１Ｂとが形成されている。原稿支持面８１Ａは、プラテンガラス８１の上面のうち、第１開口１２９Ａによって露出する部分である。原稿支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。読取面８１Ｂは、プラテンガラス８１の上面のうち、第２開口１２９Ｂによって露出する部分である。読取面８１Ｂは、搬送部４によって１枚ずつ搬送されるシートの画像を読取ユニット３が読み取る際に、その搬送されるシートを下側から案内する。
【００３２】
なお、本実施例においては、原稿支持面８１Ａを使用して画像が読み取られる対象を原稿と記載し、搬送部４により搬送しながら画像が読み取られる対象をシートと記載する。原稿とシートとは、実質的に同じものであってもよい。
【００３３】
図６、図８及び図９に示すように、プラテンガラス８１は、平坦面８５を有している。プラテンガラス８１の原稿支持面８１Ａとは反対側の面、すなわち下面である。平坦面８５は、少なくとも枠体１２９の第１開口１２９Ａの内周縁１２９Ｅよりも内側で底壁面１１９に上側から対向し、略水平に延在している。
【００３４】
図１に示すように、開閉部９は、本体部８の後面側上端縁に配設された図示しないヒンジによって、左右方向に延びる開閉軸心Ｘ９周りで揺動可能に支持されている。開閉部９は、図１に実線で示す閉じた状態では、原稿支持面８１Ａを上方から覆っている。開閉部９は、図１に二点鎖線で示すように、その前端部側が上方かつ後方に変位するように開閉軸心Ｘ９周りで揺動することにより、原稿支持面８１Ａを露出させる開放位置に変位する。これにより、ユーザは読取対象の原稿を原稿支持面８１Ａに支持させることができる。
【００３５】
図１及び図２に示すように、開閉部９の上側には、供給トレイ９Ａが開閉可能に設けられている。図２に示すように、搬送部４は、開閉部９内に配設されている。搬送部４は、開いた状態の供給トレイ９Ａに支持される複数枚のシートを１枚ずつ分離し、搬送経路Ｐ１に沿って順次搬送する。
【００３６】
図５に示すように、スキャナベース１１０の底壁面１１９上には、ガイドレール２９が配設されている。ガイドレール２９は、底壁面１１９における前後方向の略中央に位置して、左壁１１１Ｌ側から右壁１１１Ｒ側まで左右方向に延びている。
【００３７】
図５、図６及び図８に示すように、キャリッジ２０は、前後方向に細長い樹脂製部材である。キャリッジ２０は、スキャナベース１１０の前壁１１１Ａ側から後壁１１１Ｂ側まで前後方向に延びている。キャリッジ２０は、図示しない走査機構に連結されている。走査機構は、駆動源、駆動プーリ、従動プーリ、及びタイミングベルト等からなる周知のものである。
【００３８】
キャリッジ２０は、図示しない走査機構に駆動され、かつガイドレール２９に案内されることにより、底壁面１１９の上側で、左右方向に往復動可能となっている。図５に実線で示すキャリッジ２０の位置、及び図８（ａ）に示すキャリッジ２０の位置は、原稿支持面８１Ａと読取面８１Ｂとの間の待機位置である。図５に二点鎖線で示すキャリッジ２０の位置、及び図８（ｃ）に示すキャリッジ２０の位置は、キャリッジ２０がもっとも右側に移動した位置である。
【００３９】
図２、図５、図６及び図８に示すように、読取センサ３Ｓは、収容領域１００Ａ内でプラテンガラス８１に下側から対向するようにキャリッジ２０に保持されている。読取センサ３Ｓは、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取センサ３Ｓは、前後方向に延びている。読取センサ３Ｓは、原稿支持面８１Ａに載置される原稿（本装置が読取可能とする最大サイズの原稿）の前後幅を越える程度の長さを有している。
【００４０】
キャリッジ２０が図示しない走査機構に駆動されると、キャリッジ２０に保持された読取センサ３Ｓも、左右方向に往復動する。キャリッジ２０が図８（ａ）に示す待機位置から右側に移動し、図８（ｃ）に示す位置まで移動することにより、読取センサ３Ｓは、原稿支持面８１Ａの左端側から右端側まで移動する。図３に読取センサ３Ｓの読取範囲３Ｅを示す。読取範囲３Ｅは、第１開口１２９Ａの内周縁１２９Ｅのうちの左端縁及び後端縁と、二点鎖線で示す折れ線Ｓ１とで囲まれた範囲である。図示は省略するが、キャリッジ２０が図８（ａ）に示す待機位置から左側に移動することにより、読取センサ３Ｓは、読取面８１Ｂに下側から対向する位置である固定読取位置に移動する。
【００４１】
読取センサ３Ｓが延びる前後方向は、本発明の「原稿支持面と平行な第１方向」の一例である。第１方向の一方は後側である。第１方向の他方は前側である。キャリッジ２０が往復動する左右方向は、本発明の「第１方向に直交しつつ原稿支持面と平行な第２方向」の一例である。底壁面１１９の左端側は、本発明の「底壁面における第２方向の一端側」の一例である。底壁面１１９の右端側は、本発明の「底壁面における第２方向の他端側」の一例である。上下方向は、本発明の「原稿支持面に直交する第３方向」の一例である。
【００４２】
図５〜図９に示すように、フラットケーブル５０は、複数本の被覆電線が帯状に接続されてなり、可撓性を有している。図５、図７及び図８に示すように、フラットケーブル５０の一端部５０Ａ側は、収容領域１００Ａ内で底壁面１１９に保持されている。フラットケーブル５０の一端部５０Ａ側は、スキャナベース１１０の後壁１１１Ｂにおける左右方向の中間部に対して、前側から隣接している。図８に示すように、フラットケーブル５０の他端部５０Ｂ側は、キャリッジ２０に保持され、その先において、コネクタ３Ｃを介して読取センサ３Ｓと電気的に接続されている。
【００４３】
なお、フラットケーブル５０は、一端部５０Ａ側が下向きに折り返されて、底壁面１１９に沿って底壁面１１９の左端側まで延びている。図示は省略するが、フラットケーブル５０は、さらに、本体部８内でスキャナベース１１０よりも下側に配置される図示しない制御部まで延びて、その制御部と電気的に接続されている。
【００４４】
図６〜図９に示すように、フラットケーブル５０は、第１伸長部５１と湾曲部５３と第２伸長部５２とを有している。第１伸長部５１は、底壁面１１９に保持されたフラットケーブル５０の一端部５０Ａ側に連続し、底壁面１１９に沿って、底壁面１１９の左端側に向けて延びている。湾曲部５３は、第１伸長部５１に連続し、プラテンガラス８１に接近するように半円弧状に湾曲し、底壁面１１９の右端側に向きを変える。第２伸長部５２は、湾曲部５３に連続し、プラテンガラス８１に沿って、底壁面１１９の右端側に向かって延びている。第２伸長部５２は、フラットケーブル５０の他端部５０Ｂに至る。
【００４５】
図６に示すフラットケーブル５０の状態は、図８（ａ）に示すフラットケーブル５０の状態に対応している。図９に示すフラットケーブル５０の状態は、図８（ｂ）及び（ｃ）に示すフラットケーブル５０の状態に対応している。
【００４６】
フラットケーブル５０が可撓性を有することにより、湾曲部５３は復元力を蓄えつつ湾曲している。フラットケーブル５０は、この湾曲部５３の復元力により、第１伸長部５１が底壁面１１９に向かって付勢され、第２伸長部５２がプラテンガラス８１に向かって付勢されている。
【００４７】
図６〜図９に示すように、フラットケーブル５０は、プラテンガラス８１の平坦面８５に下側から対向する対向面５５を有している。対向面５５は、第２伸長部５２の上面である。図８に示すように、平坦面８５が平面であるのに対して、対向面５５は、前後方向から見て上向きに膨らむ湾曲面である。対向面５５の湾曲の程度は、キャリッジ２０の左右方向の位置に応じて変化する。
【００４８】
図３、図６及び図９等に示すように、対向面５５の端縁のうち、後側に位置して左右方向に延びる端縁を第１端縁５５Ｂとする。対向面５５の端縁のうち、前側に位置して左右方向に延びる端縁を第２端縁５５Ａとする。第１端縁５５Ｂは、スキャナトップ１２０の後壁１２２Ｂに沿って配置されている。第２端縁５５Ａは、枠体１２９の第１開口１２９Ａの内周縁１２９Ｅよりも内側でプラテンガラス８１と上下方向で重なる位置にある。図３に示すように、第２端縁５５Ａは、上下方向から見て、読取センサ３Ｓの読取範囲３Ｅと重なる位置にある。
【００４９】
図８の（ａ）〜（ｂ）〜（ｃ）の順番で示すように、キャリッジ２０が図示しない走査機構に駆動されて左側から右側に移動する際、フラットケーブル５０の第２伸長部５２がキャリッジ２０に引っ張られるので、湾曲部５３が底壁面１１９の右端側に向かって移動し、第１伸長部５１が短くなり、第２伸長部５２が長くなる。
【００５０】
その一方、図８の（ｃ）〜（ｂ）〜（ａ）の順番で示すように、キャリッジ２０が図示しない走査機構に駆動されて右側から左側に移動する際、フラットケーブル５０の第２伸長部５２がキャリッジ２０に押されるので、湾曲部５３が底壁面１１９の左端側に向かって移動し、第１伸長部５１が長くなり、第２伸長部５２が短くなる。こうして、フラットケーブル５０は、キャリッジ２０の往復動に追従し、読取センサ３Ｓによる画像の読取処理を妨げないようになっている。
【００５１】
＜規制部の具体的構成＞
図３、図４及び図６〜図９に示すように、スキャナトップ１２０の後壁１２２Ｂは、規制部１３０を含んでいる。規制部１３０は、後壁１２２Ｂに一体成形されたリブである。規制部１３０は、前側に向けて突出するとともに、左右方向に延びている。規制部１３０は、枠体１２９と、フラットケーブル５０の対向面５５の第１端縁５５Ｂとの間に位置している。
【００５２】
より詳しくは、図６及び図９等に示すように、規制部１３０は、左右方向から見て、前後方向に細長い略矩形断面形状とされている。規制部１３０の下面は、規制面１３１とされている。規制面１３１は、平坦面８５よりも下側、すなわち底壁面１１９側に位置している。規制部１３０の上面も、平坦面８５よりも下側に位置している。規制面１３１は、略水平に、すなわち、平坦面８５と略平行に延びている。規制面１３１は、フラットケーブル５０の対向面５５の第１端縁５５Ｂよりも上側に位置している。
【００５３】
図６に示すように、規制部１３０がスキャナトップ１２０の後壁１２２Ｂから前側に向けて突出する長さをＬ１３０とする。長さＬ１３０は、規制部１３０の前端縁がフラットケーブル５０の対向面５５の第１端縁５５Ｂを超える大きさに設定されている。その一方、長さＬ１３０は、規制部１３０の前端縁が枠体１２９の第１開口１２９Ａの内周縁１２９Ｅを超えない大きさに設定されている。
【００５４】
図８（ｃ）に示すように、上向きに膨らむように湾曲する対向面５５のうちで平坦面８５に接近する領域が左右方向において変位する範囲をＥ１とする。規制面１３１は、範囲Ｅ１に亘って左右方向に延びている。
【００５５】
図６〜図９等に示すように、規制部１３０は、複数個の突起１３５をもっている。各突起１３５は、左右方向に所定の間隔を有して、規制部１３０の上面から上向きに突出している。各突起１３５の後端縁は、スキャナトップ１２０の後壁１２２Ｂに接続している。各突起１３５の上端縁と枠体１２９との上下方向の間隔は、プラテンガラス８１の肉厚と略同一とされている。図６及び図８に示すように、プラテンガラス８１の後端縁８１Ｆの左側部分を枠体１２９と各突起１３５の上端縁との間に挿入することにより、プラテンガラス８１の後端縁８１Ｆの左側部分が枠体１２９と規制部１３０とによって挟持される。
【００５６】
＜画像読取動作＞
この画像読取装置１では、原稿支持面８１Ａに載置された原稿を読み取る場合、図示しない走査機構が作動し、図２に示すように、キャリッジ２０に搭載された読取センサ３Ｓを読取ユニット３内における左端側から右端側に移動させる。これにより、読取センサ３Ｓは、原稿支持面８１Ａに載置された原稿の画像を読み取る。その後、図示しない走査機構は、読み取りを終えた読取センサ３Ｓを読取ユニット３内における右端側から左端側に移動させ、図８（ａ）に示す待機位置に復帰させる。
【００５７】
また、この画像読取装置１では、供給トレイ９Ａに支持される複数枚のシートの画像を読み取る場合、図示しない走査機構が作動し、キャリッジ２０に搭載された読取センサ３Ｓを読取ユニット３内における左端側に移動させ、固定読取位置に停止させる。そして、搬送部４が供給トレイ９Ａに支持されるシートを搬送経路Ｐ１に沿って順次搬送すると、そのシートが固定読取位置にある読取センサ３Ｓの上側を通過するので、読取センサ３Ｓは、その通過するシートの画像を読み取る。
【００５８】
＜作用効果＞
実施例の画像読取装置１では、図７及び図９等に示すように、フラットケーブル５０の対向面５５における後側の第１端縁５５Ｂは、スキャナトップ１２０の後壁１２２Ｂに沿って配置されている。その対向面５５における前側の第２端縁５５Ａは、図３等に示すように、上下方向から見て、枠体１２９の第１開口１２９Ａの内周縁１２９Ｅよりも内側でプラテンガラス８１と重なる位置にある。このため、この画像読取装置１では、枠体１２９のうちでスキャナトップ１２０の後壁１２２Ｂ側に位置する領域を前後方向で幅狭にできる。
【００５９】
また、この画像読取装置１では、図７〜図９等に示すように、スキャナトップ１２０の後壁１２２Ｂが規制部１３０を含んでいる。規制部１３０は、枠体１２９と、フラットケーブル５０の対向面５５の第１端縁５５Ｂとの間に位置するように、前側に向けて突出している。そして、規制部１３０は、規制面１３１を備えている。規制面１３１は、プラテンガラス８１の平坦面８５よりも下側、すなわち底壁面１１９側に位置して、略水平に、すなわち、平坦面８５と略平行に延びている。このような構成である規制部１３０は、図８に示すように、フラットケーブル５０がキャリッジ２０の往復移動に追従する際、対向面５５の位置が変動するとしても、図９に示すように、フラットケーブル５０の対向面５５の第１端縁５５Ｂ側に規制面１３１が当接し、その対向面５５がプラテンガラス８１の平坦面８５に接近しないように規制する。このため、対向面５５の第２端縁５５Ａ側が枠体１２９の第１開口１２９Ａの内周縁１２９Ｅよりも内側でプラテンガラス８１の平坦面８５に接触し難くなる。その結果、対向面５５の第２端縁５５Ａ側に付着する粉塵等が平坦面８５に汚れとして付着し難くなる。
【００６０】
したがって、実施例の画像読取装置１では、前後方向の小型化を実現できるとともに、プラテンガラス８１の汚れに伴う外観品位の低下を抑制できる。
【００６１】
また、この画像読取装置１では、フラットケーブル５０は、第１伸長部５１と湾曲部５３と第２伸長部５２とを有している。第２伸長部５２の平坦面８５と対向する面が対向面５５である。このため、この画像読取装置１では、図８等に示すように、フラットケーブル５０がキャリッジ２０の往復移動に追従する際、湾曲部５３の復元力によって、対向面５５が平坦面８５に接近し易くなる。ここで、図８（ｃ）に示すように、規制面１３１は、対向面５５の平坦面８５に接近する領域が左右方向において変位する範囲Ｅ１に亘って左右方向に延びている。これにより、規制面１３１は、対向面５５の第１端縁５５Ｂ側に常に上側から当接可能となっているので、対向面５５がプラテンガラス８１の平坦面８５に接近しないように確実に規制できる。
【００６２】
さらに、この画像読取装置１では、図４〜図６等に示すように、スキャナハウジング１００は、スキャナベース１１０とスキャナトップ１２０とを有している。そして、スキャナトップ１２０の後壁１２２Ｂが規制部１３０を含んでいる。ここで、一般的に、キャリッジ２０、フラットケーブル５０、図示しない走査機構等が組み付けられるスキャナベース１１０と比較して、スキャナトップ１２０の形状は簡素である。このため、スキャナトップ１２０の第２周壁１２２の一部を形成する後壁１２２Ｂに、規制部１３０を追加形成し易い。
【００６３】
また、この画像読取装置１では、図６等に示すように、プラテンガラス８１の後端縁８１Ｆの一部は、枠体１２９と、規制部１３０の複数個の突起１３５とによって挟持されている。つまり、この画像読取装置１では、規制部１３０がプラテンガラス８１の保持を兼ねるので、スキャナハウジング１００を簡素化できる。
【００６４】
さらに、この画像読取装置１では、図６に示すように、規制部１３０がスキャナトップ１２０の後壁１２２Ｂから前側に向けて突出する長さＬ１３０は、枠体１２９の内周縁１２９Ｅを超えない大きさに設定されている。これにより、この画像読取装置１では、上下方向から見て、規制部１３０の全体が枠体１２９に覆われ、規制部１３０が枠体１２９の第１開口１２９Ａの内周縁１２９Ｅよりも内側にはみ出さない。このため、ユーザが上方から原稿支持面８１Ａを見下ろす場合に、原稿支持面８１Ａを介して、規制部１３０を視認することがないので、規制部１３０による外観品位の低下が生じない。
【００６５】
また、この画像読取装置１では、図３に示すように、フラットケーブル５０の対向面５５の第２端縁５５Ａは、上下方向から見て、読取センサ３Ｓの読取範囲３Ｅと重なる位置にある。これにより、この画像読取装置１では、前後方向の小型化を一層実現できる。また、規制部１３０によって、対向面５５の第２端縁５５Ａ側に付着する粉塵等がプラテンガラス８１の平坦面８５における読取範囲３Ｅに対応する領域に汚れとして付着し難いので、読取センサ３Ｓが原稿の画像を読み取る際の読取品質の低下を抑制することができる。
【００６６】
以上において、本発明を実施例に即して説明したが、本発明は上記実施例に制限されるものではなく、その趣旨を逸脱しない範囲で適宜変更して適用できることはいうまでもない。
【００６７】
（変形例１）
図１０に示す規制部２３０は、実施例１の規制部１３０の一部を変更したものである。
【００６８】
実施例１では、規制部１３０が複数個の突起１３５をもっていたが、変形例１の規制部２３０では、複数個の突起１３５が取り除かれている。プラテンガラス８１の後端縁８１Ｆは、枠体１２９と規制部１３０とによって挟持されてはいない。
【００６９】
また、実施例１では、規制部１３０の下面が規制面１３１とされていたが、変形例１の規制部２３０では、規制部１３０の下面に、対向面５５に対する摩擦抵抗が小さいテープ２３１Ｔを貼り付けて、そのテープ２３１Ｔの下面を規制面２３１としている。つまり、規制面２３１は、対向面５５に対する摩擦抵抗が小さい低摩擦面とされている。なお、規制面２３１は、規制部２３０の下面にコーティング処理を行ったり、研摩処理を行ったりすることによっても形成され得る。
【００７０】
このような規制部２３０を採用する画像読取装置でも、実施例１の画像読取装置１と同様に、前後方向の小型化を実現できるとともに、外観品位の低下を抑制できる。また、フラットケーブル５０の対向面５５は、規制部２３０の規制面２３１に引っ掛かることなくスムーズに変位できるので、フラットケーブル５０がキャリッジ２０の往復移動に良好に追従できる。
【００７１】
（変形例２）
図１１に示す規制部３３０も、実施例１の規制部１３０の一部を変更したものである。
【００７２】
実施例１では、規制部１３０が複数個の突起１３５をもっていたが、変形例２の規制部３３０では、複数個の突起１３５が取り除かれている。規制部３３０がスキャナトップ１２０の後壁１２２Ｂから前側に向けて突出する長さをＬ３３０とする。長さＬ３３０は、規制部３３０の前端縁がフラットケーブル５０の対向面５５の第１端縁５５Ｂを超える大きさに設定されている。その一方、長さＬ３３０は、規制部３３０の前端縁がプラテンガラス８１の後端縁８１Ｆを超えない大きさに設定されている。
【００７３】
規制部３３０の下面は、実施例１の規制面１３１と同様な規制面３３１とされている。規制部２３０の上面は、プラテンガラス８１の平坦面８１よりも上側に位置している。この構成では、上下方向の小型化に有効である。
【００７４】
また、このような規制部３３０を採用する画像読取装置でも、実施例１の画像読取装置１と同様に、前後方向の小型化を実現できるとともに、外観品位の低下を抑制できる。
【産業上の利用可能性】
【００７５】
本発明は画像読取装置、複合機等に利用可能である。
【符号の説明】
【００７６】
１…画像読取装置、１００…スキャナハウジング
１１０…スキャナベース、１２０…スキャナトップ
１１１、１２２…周壁（１１１…第１周壁、１２２…第２周壁）
１２２Ｂ…所定壁（スキャナトップの後壁）
１１９…底壁面、１００Ａ…収容領域、１２９…枠体、１２９Ｅ…枠体の内周縁
８５…平坦面、８１Ａ…原稿支持面、８１…支持体（プラテンガラス）
３Ｓ…読取部（読取センサ）、３Ｅ…読取範囲、２０…移動体（キャリッジ）
５０…フラットケーブル、５０Ａ…フラットケーブルの一端部
５０Ｂ…フラットケーブルの他端部、５５…対向面
５５Ｂ…対向面の第１端縁、５５Ａ…対向面の第２端縁
１３０、２３０、３３０…規制部、１３１、２３１、３３１…規制面
５１…第１伸長部、５３…湾曲部、５２…第２伸長部
８１Ｅ…支持体（プラテンガラス）の外周縁
８１Ｆ…支持体（プラテンガラス）の所定端縁（後端縁）
Ｌ１３０、Ｌ３３０…規制部が所定壁から第１方向の他方に向けて突出する長さ
【図１】
0006379935.tif 000002
【図２】
0006379935.tif 000003
【図３】
0006379935.tif 000004
【図４】
0006379935.tif 000005
【図５】
0006379935.tif 000006
【図６】
0006379935.tif 000007
【図７】
0006379935.tif 000008
【図８】
0006379935.tif 000009
【図９】
0006379935.tif 000010
【図１０】
0006379935.tif 000011
【図１１】
0006379935.tif 000012